(57)【要約】【課題】  人の健康を害することなく、環境にも優しい素材を材料とした建材を提供することである。【解決手段】  木、紙または植物繊維等のうち、一または複数の自然素材を細かくした充填材３または木、紙または植物繊維等のうち、一または複数の自然素材を束ねた充填材３のうちいずれか一方または両者を混合して、紙または植物繊維の布等の自然素材からなる袋２に充填するとともに、この袋２内に微小空間を多数形成した点に特徴を有する。【選択図】  図１
2004239056.tif 000002
【特許請求の範囲】
【請求項１】
木、紙または植物繊維等のうち、一または複数の自然素材を細かくした充填材または木、紙または植物繊維等のうち、一または複数の自然素材を束ねた充填材のうちいずれか一方または両者を混合して、紙または植物繊維の布等の自然素材からなる袋に充填するとともに、この袋内に微小空間を多数形成してなる建材。
【請求項２】
上記袋の両面を、麻糸等の自然素材からなる糸で縫い合わせて縫い目列を形成した請求項１記載の建材。
【請求項３】
上記袋を圧縮しながら、その袋の両面を麻糸等の自然素材からなる糸で縫い合わせて縫い目列を形成した請求項１記載の建材。
【請求項４】
袋を多角形にするとともに、袋のいずれか一辺を基準辺とし、この基準辺に平行な複数の縫い目列を形成し、上記基準辺およびこの基準辺に対向する端部近傍の縫い目列の間隔を、中央部における縫い目列の間隔より小さくした請求項２または３記載の建材。
【請求項５】
上記袋に微小な孔を多数設けた請求項１〜４のいずれか１に記載の建材。
【請求項６】
上記自然素材として檜を使用した請求項１〜５のいずれか１に記載の建材。
【請求項７】
上記自然素材としてプレーナ屑を使用した請求項１〜６のいずれか１に記載の建材。
【請求項８】
上記自然素材としてひねりを入れた紙を使用した請求項１〜５のいずれか１に記載の建材。
【請求項９】
上記自然素材として植物繊維からなる糸や布等をけばだてて使用した請求項１〜５のいずれか１に記載の建材。
【請求項１０】
上記自然素材を植繊機で破砕した請求項１〜９のいずれか１に記載の建材。
【請求項１１】
上記袋に、上記充填材とともに活性炭を充填した請求項１〜１０いずれか１に記載の建材。
【発明の詳細な説明】
【技術分野】
【０００１】
この発明は、断熱性、蓄熱性、吸湿性、遮音性あるいは吸音性などの機能を備えた建材に関する。
【背景技術】
【０００２】
建築物等の壁、畳床、家具等に使用される建材は、その用途に応じて断熱性、吸湿性、遮音性あるいは吸音性などといった機能を要求される。このような要求に応えるために、従来の建材は、上記のような機能を備えたグラスウールを主材料としていた。そして、このグラスウールを主材料とした建材は、その使用状況に合わせて裁断して使用されていた。
なお、上記従来の建材に関しては、特に先行技術文献調査をしていない。
【発明の開示】
【発明が解決しようとする課題】
【０００３】
上記建材は、その使用状況に合わせて裁断されるので、裁断したときに主材料のグラスウールが飛び散ることがある。この飛び散ったグラスウールを、建材を裁断する作業者が体内に吸い込んでしまうと、人体に悪影響を及ぼすという問題があった。そのため、グラスウールを体内に吸い込まないようにするために、裁断時には防塵マスクを着用しなければならないというわずらわしさがあった。
【０００４】
また、飛び散ったグラスウールが作業者の皮膚や衣服に付着すると、皮膚をちくちく刺激して、作業者が不快感を覚えながら作業をしなければならないという問題もあった。
さらに、グラスウールは生分解されないので、廃棄するときに環境を汚染するという問題もあった。
この発明の目的は、人の健康を害することなく、環境にも優しい素材を材料とした建材を提供することである。
【課題を解決するための手段】
【０００５】
第１の発明の建材は、木、紙または植物繊維等のうち、一または複数の自然素材を細かくした充填材または木、紙または植物繊維等のうち、一または複数の自然素材を束ねた充填材のうちいずれか一方または両者を混合して、紙または植物繊維の布等の自然素材からなる袋に充填するとともに、この袋内に微小空間を多数形成した点に特徴を有する。
なお、この発明の自然素材として使用される紙は、植物性の繊維から作られたものであって、合成繊維から作られたものは含まない。
【０００６】
また、上記第１の発明でいう細かくした充填材とは、木、紙または植物繊維等の自然素材を薄くしたり、小さくしたりしたものをいう。例えば、木、紙または植物繊維等の自然素材をチップ状にしたり破砕したりしたものである。
そして、束ねた充填材とは、木、紙または植物繊維等の自然素材を細長くしたものを束ねたものをいう。例えば、木のスライス片を束ねたり、紙にひねりを入れて縄状にしたものを束ねたりしたものである。
いずれにしても、木、紙または植物繊維等の自然素材の長さが短いものは細かい充填材とし、長いものは束ねることによって束ねた充填材とする。
【０００７】
第２の発明は、第１の発明を前提としつつ、上記袋の両面を、麻糸等の自然素材からなる糸で縫い合わせて縫い目列を形成した点に特徴を有する。
第３の発明は、第１の発明を前提として、上記袋を圧縮しながら、その袋の両面を麻糸等の自然素材からなる糸で縫い合わせて縫い目列を形成した点に特徴を有する。
【０００８】
第４の発明は、第２または第３の発明を前提としつつ、袋を多角形にするとともに、袋のいずれか一辺を基準辺とし、この基準辺に平行な複数の縫い目列を形成し、上記基準辺およびこの基準辺に対向する端部近傍の縫い目列の間隔を、中央部における縫い目列の間隔より小さくした点に特徴を有する。
【０００９】
第５の発明は、第１〜第４の発明を前提としつつ、上記袋に微小な孔を多数設けた点に特徴を有する。
第６の発明は、第１〜第５の発明を前提としつつ、上記自然素材として檜を使用した点に特徴を有する。
第７の発明は、第１〜第６の発明を前提としつつ、上記自然素材としてプレーナ屑を使用した点に特徴を有する。
【００１０】
第８の発明は、第１〜第５の発明を前提としつつ、上記自然素材としてひねりを入れた紙を使用した点に特徴を有する。
第９の発明は、第１〜第５の発明を前提としつつ、上記自然素材として植物繊維からなる糸や布等をけばだてて使用した点に特徴を有する。
【００１１】
第１０の発明は、第１〜第９の発明を前提としつつ、上記自然素材を植繊機で破砕した点に特徴を有する。
第１１の発明は、第１〜第１０の発明を前提としつつ、上記袋に、上記充填材とともに活性炭を充填した点に特徴を有する。
【発明の効果】
【００１２】
第１〜第１１の発明によれば、建材は、自然素材のみを材料としたので、作業者が上記建材を裁断したときに、飛び散った裁断くずを吸い込んだとしても、作業者の健康を害することがない。したがって、作業者は、裁断時に防塵マスクを着用する必要がなくなる。
また、飛び散った裁断くずが作業者の皮膚や衣服に付着しても、皮膚をちくちく刺激することがないので、作業者は、快適に裁断作業を行うことができる。
【００１３】
そして、建材の材料である自然素材は生分解されるので、廃棄するときに環境を汚染することがない。しかも、本来廃棄されるはずの自然素材を利用すれば、廃棄物を削減することができ、環境を汚染することがない。
さらに、袋内に微小空間を多数確保しているので、この微小空間内の空気が含まれることになる。したがって、この多数確保した微小空間内の空気によって高い断熱効果や遮音効果を得ることできる。
【００１４】
そして、上記建材を建物に用いれば、上記袋内に多数確保された微小空間に室内の暖かい空気や冷たい空気を蓄えるので、長時間室内の温度を一定に保つことができる。したがって、一度室内の空気を暖めたり冷したりすれば、微小空間に蓄えられた室内の空気によって、室内の温度を長時間一定に保つことができる。
さらにまた、上記建材は自然素材のみを材料としたので、吸湿性に優れ、カビの発生等を抑えることができる。しかも、この優れた吸湿性によって、この建材を使用した建物等の室内の湿度が低く保たれるので、結露を防止する効果も得ることができる。
【００１５】
特に、第２の発明によれば、建材は、上記袋の両面を縫い合わせて縫い目列を形成したので、その厚みを抑えることができる。
また、袋に充填された充填材は、両面から袋によって挟みつけられているので、袋内でずれたり片寄ったりしない。したがって、建材の形状が崩れてしまうことがない。そして、上記のように、充填材が両面から袋によって挟みつけられているので、裁断したときでも、その裁断した部分から充填材がこぼれ出る量を抑えることができる。
さらに、袋の両面を縫い合わせる際に、縫い目部分には針穴が多数形成されるので、その針穴によって吸音効果を得ることができる。
【００１６】
第３の発明によれば、上記袋を圧縮しながら、その袋の両面を縫い合わせるようにして縫い目列を形成したので、さらに建材の厚みを抑えることができるとともに、縫い合わせ作業を容易にすることができる。
第４の発明によれば、上記袋を多角形にするとともに、袋のいずれか一辺を基準辺とし、この基準辺に平行な複数の縫い目列を形成し、上記基準辺およびこの基準辺に対向する端部近傍の縫い目列の間隔を、中央部における縫い目列の間隔より小さくした。したがって、上記袋の基準辺およびこの基準辺に対向する端部近傍を裁断したときに、その裁断した部分から充填材がこぼれ出る量を抑えることができる。
【００１７】
第５の発明によれば、上記袋には、縫い合わせたときの針穴のほかに、微小な孔を多数設けたので、その孔によって吸音効果を一層高めることができる。
第６の発明によれば、上記自然素材として檜を使用したので、檜の持つ精神沈静効果によって、建材の使用者のストレスを和らげる効果が期待できる。また、檜の香りを苦手とするダニの発生を防止する効果も期待できる。
【００１８】
第７の発明によれば、上記自然素材として木材を加工する際に大量に発生するプレーナ屑を使用したので、本来ゴミとして廃棄されるものを有効利用することになり、廃棄物を削減することができ、しかも、建材を安価に製造することができる。
第８の発明によれば、上記自然素材としてひねりを入れた紙を使用したので、そのひねりを入れた紙の間に微小空間が形成される。したがって、袋内に微小空間が多数確保されることになり、これら微小空間に空気が含まれ、この空気によって高い断熱効果や遮音効果を得ることができる。
【００１９】
第９の発明によれば、上記自然素材として植物繊維からなる糸や布等をけばだてて使用したので、この糸や布等をけばだてた自然素材が多量の空気を含むことになる。すなわち、上記袋内には多量の空気が含まれることになるので、この多量の空気によって高い断熱効果や遮音効果を得ることができる。
【００２０】
第１０の発明によれば、上記自然素材を植繊機で破砕するようにしたので、自然素材の形状が均一になる。したがって、この植繊機で破砕した自然素材からなる充填材を袋に充填することで、建材の形状を均一的にすることができる。
第１１の発明によれば、上記袋に、充填材とともに活性炭を充填したので、活性炭の持つ吸着能力を利用することができる。例えば、活性炭はホルムアルデヒド等の有害物質を吸着するので、シックハウス症候群の原因を除去することができる。また、湿気やほこりを吸着するので、健康的な住環境を実現することができる。特に、乳幼児が生活する住居に最適である。
【発明を実施するための最良の形態】
【００２１】
図１〜図２に、この発明の第１実施形態を示す。
図１に示す建材１は、この発明の細かくした自然素材である檜のプレーナ屑からなる充填材３を、紙製の袋２に充填するとともに、上記袋２の両面を麻糸４によって縫い合わせている。つまり、この建材１は、上記紙製の袋２、檜のプレーナ屑からなる充填材３、麻糸４といった自然素材のみを材料としている。
なお、上記プレーナ屑３とは、木材をかんながけしたときにでるかんなくずのことである。
【００２２】
上記のように、建材１は、紙製の袋２、檜のプレーナ屑からなる充填材３、麻糸４といった自然素材のみを材料としているので、作業者が上記建材１を裁断したときに、飛び散った裁断くずは自然素材となる。したがって、上記作業者が、この自然素材である裁断くずを吸い込んだとしても、健康を害することがない。したがって、作業者は、裁断時に防塵マスクを着用する必要がなくなる。
【００２３】
また、上記飛び散った裁断くずが作業者の皮膚や衣服に付着しても、皮膚をちくちく刺激することがないので、作業者は、快適に裁断作業を行うことができる。
さらに、建材１の材料である袋２、充填材３、麻糸４は、自然素材なので生分解される。したがって、廃棄するときに環境を汚染することがない。しかも、廃材や間伐材などの本来廃棄されるはずの自然素材を利用すれば、廃棄物を削減することができ、環境を汚染することがない。
【００２４】
さらにまた、上記のように、建材１は、紙製の袋２、檜のプレーナ屑からなる充填材３、麻糸４といった自然素材のみを材料としているので、吸湿性に優れ、カビの発生を抑えることができる。しかも、この優れた吸湿性によって、上記建材１を使用した建物等室内の湿度が低く保たれるので、結露を防止する効果も得ることができる。
【００２５】
上記袋２の両面を縫い合わせる作業には、縫製手段を利用する。この縫製手段は、複数の針を一列に並べた縫い合わせ機構と、袋２を挟みつけるローラとを備えている。このローラは、圧縮機能と送り機能を有している。そして、上記建材１は、このローラによって袋２の両面から圧縮しながら縫い合わせ機構によって縫い合わせるようにしている。
なお、上記縫製手段は一例であって、縫い合わせ機構と、圧縮機能と送り機能とを有していれば、どのようなものでもよい。
【００２６】
上記のように、この建材１は、上記充填材３を充填した袋２の両面を縫い合わせているので、その厚みを抑えることができる。また、縫製手段のローラで圧縮しながら袋２の両面を縫い合わせるようにしているので、上記建材１は、さらに厚みを抑えることができるとともに、縫い合わせ作業を容易にすることができる。
【００２７】
さらに、上記建材１は、袋２に充填された充填材３が、両面から袋２によって挟みつけられているので、袋２内でずれたり片寄ったりしない。したがって、建材１の形状が崩れてしまうことがない。
また、袋２の両面を縫い合わせる際に、縫い目部分には針穴５が多数形成されるので、これら針穴５を介して袋２の内部に音が吸収される。したがって、この建材１は、高い吸音効果を得ることができる。
【００２８】
なお、建材１は、上記のように圧縮しながら袋２の両面を縫い合わせているが、このとき、袋２に充填された充填材３も圧縮される。このとき、圧縮された充填材３は、自然素材であるプレーナ屑であるため、ある程度弾性を有している。そのため、充填材３は、上記のように圧縮されると弾性によって元の状態に戻ろうとする。しかし、上記建材１は、麻糸４によって縫い合わされているので、充填材３が元に戻ろうとするのを規制する。したがって、上記充填材３は、圧縮された状態に保たれることになる。
【００２９】
ただし、上記圧縮された充填材３は、圧縮されたとはいっても完全に圧縮されているわけではないので、袋２に充填された充填材３の間には、微小空間が多数形成される。言い換えれば、袋２内には微小空間が多数確保されることになる。そして、この袋２内に確保された多数の微小空間には空気が含まれるので、この空気によって高い断熱効果や遮音効果を得ることができる。
【００３０】
さらに、上記建材１を建物に用いれば、上記袋２内に多数確保された微小空間に室内の暖かい空気や冷たい空気を蓄えるので、長時間室内の温度を一定に保つことができる。したがって、この蓄熱効果によって、一度室内を暖めたり冷したりすれば、微小空間に蓄えられた室内の空気によって、室内の温度を長時間一定に保つことができる。
【００３１】
また、上記縫製手段によって縫い合わされた建材１は、図２に示すように、その縫い目列６が形成されるが、建材１を裁断するときには、この縫い目列６の近くであって縫い目列６と平行に裁断するのがよい。すなわち、建材１を裁断すると、その裁断部分から充填材３がこぼれ出てくるが、上記のように、袋２を縫い目列６の近くであって縫い目列６と平行に裁断すれば、裁断面開口部が縫い目列６によってある程度ふさがれる。裁断面開口部がある程度ふさがれれば、充填材３もそれほどこぼれ出てこない。このように、裁断面開口部からこぼれ出てくる充填材３の量が少なければ、作業現場におけるゴミの発生量を少なくすることができるとともに、掃除の手間もかからないので、作業効率を向上させることができる。
【００３２】
さらに、上記建材１は、図２に示すように、袋２を長方形にするとともに、この袋２のいずれか一辺を基準辺２ａとし、この基準辺２ａに平行な複数の縫い目列６を形成している。これら複数の縫い目列６は、上記基準辺２ａおよびこの基準辺２ａに対向する端部である他辺２ｂ近傍の間隔Ｗ１を、中央部における縫い目列６の間隔Ｗ２よりも小さくしている。このように、縫い目列６の間隔Ｗ１を小さくした袋２の基準辺２ａまたは他辺２ｂの近傍を裁断すれば、裁断面開口部と縫い目列６とが近くなりやすい。したがって、建材１の裁断時に、その裁断面開口部からこぼれ出る充填材３の量を少なくすることができる。
【００３３】
なお、通常使用される建材の形状および大きさは、工業製品の規格等によってある程度決められている。そのため、この第１実施形態の建材１も、上記規格等に合わせてその形状を長方形とし、その２辺の長さをそれぞれ４５０ｍｍ、９００ｍｍ、厚さを４０〜５０ｍｍにしている。このように、建材１の大きさを上記規格等に合わせて設定しておけば、ほとんどの場所に裁断することなく設置することができる。
【００３４】
そして、上記建材１は、その設置場所の大きさが多少小さかったとしても、上記のように大きさを規格に合わせているので、わずかに裁断するだけでよい。裁断する量がわずかでよいということは、裁断する部分は袋２の基準辺２ａまたは他辺２ｂ近傍になるので、これら基準辺２ａまたは他辺２ｂ近傍を裁断すれば、上述のように、その断面開口部からこぼれ出る充填材３の量を少なくすることができる。したがって、こぼれ出る充填材３とともに発生する裁断くずも減少することになり、作業環境を良好に保つことができる。
ただし、上記建材１の形状および大きさは、上記工業製品の規格等に合わせなくてもよいこと当然である。したがって、建材１は、三角形や五角形であってもよいし、大きさも上記規格よりも大きくても小さくてもよい。
【００３５】
また、この第１実施形態では、檜のプレーナ屑を充填材３として袋２に充填しているが、このプレーナ屑は、他の用途がないために、従来は廃棄処理されていた。しかし、この従来廃棄処理されていたプレーナ屑を、建材１の充填材３として利用しているので、廃棄物を削減することができるとともに、建材１自体のコストを下げることができる。
【００３６】
さらに、上記プレーナ屑は檜なので、檜の持つ精神沈静効果によって、建材１の使用者のストレスを和らげる効果を期待できる。また、檜の香りを苦手とするダニの発生を防止する効果も期待できる。
したがって、この第１実施形態の建材１を建物に用いれば、健康的な住環境を実現することができる。
【００３７】
図３に示す第２実施形態は、充填材３を充填した袋２に、微小な孔７を多数設けた点が上記第１実施形態と異なっている。このように、上記袋２に微小な孔７を多数設ければ、これら微小な孔７を介して袋２の内部に音が吸収される。したがって、建材１は、上述した針穴５だけでなく、この第２実施形態で設けた微小な孔７によって、さらに高い吸音効果を得ることができる。
【００３８】
なお、上記第１、第２実施形態では、袋２に充填する充填材３として檜のプレーナ屑を使用しているが、充填材３は、袋２内に微小空間を確保することができる自然素材であればよい。例えば、従来廃棄処理されていた間伐材や廃材をチップ状にしたものを充填材３としたり、上記間伐材や廃材をスライス状にしたものを束ねて充填材３としたりしてもよい。このように、廃棄処理されていた間伐材や廃材を使用すれば、第１、第２実施形態と同様に、廃棄物を削減することができるとともに、建材１自体のコストを下げることができる。
いずれにしても、袋２内に微小空間を確保することができれば、どのような木であっても、また、どのように加工したものであってもかまわない。例えば、破砕してチップ状にしたり、けばだてて綿状にしたり、ペレット状にしたりしたものでもよい。
【００３９】
また、木に限らず、植物繊維からなる紙を充填材３として袋２に充填してもよい。例えば、新聞紙などの紙にひねりを入れて直径１０〜１２ｍｍくらいの縄状にしたものを束ねて充填材３としたり、この縄状にしたものを１５ｍｍくらいの長さに切断して小さな円筒状にして充填材３としたりしてもよい。このように、紙にひねりを入れることによってボリュームを持たせれば、そのひねりを入れた紙の間に微小空間が形成される。したがって、袋２内に微小空間が多数確保されることになり、これら微小空間に空気が含まれ、この空気によって高い断熱効果や遮音効果を得ることができる。
【００４０】
さらに、上記建材１を建物に用いれば、上述したように、上記袋２内に多数確保された微小空間に室内の暖かい空気や冷たい空気を蓄えるので、長時間室内の温度を一定に保つことができる。したがって、一度室内の空気を暖めたり冷したりすれば、微小空間に蓄えられた空気によって、室内の温度を長時間一定に保つことができる。
そして、上記紙として古新聞のような古紙を使用すれば、廃棄物を削減することもできる。
【００４１】
さらに、植物繊維からなる糸くずや布くず等を細かくして充填材３としたり、上記糸くずや布くず等を束ねて充填材３としたりしてもよい。また、上記糸くずや布くず等をけばだてて充填材３としてもよい。このように、けばだてた糸くずや布くず等は多量の空気を含むので、この多量の空気によって高い断熱蓄熱効果や遮音効果を得ることができる。
そして、上記建材１を建物に用いれば、上述のように、上記袋２内に多数確保された微小空間に室内の暖かい空気や冷たい空気を蓄えるので、長時間室内の温度を一定に保つことができる。したがって、一度室内の空気を暖めたり冷したりすれば、微小空間に蓄えられた空気によって、室内の温度を長時間一定に保つことができる。
【００４２】
また、上記植物繊維からなる糸くずや布くず等は、従来廃棄処理されていたので、これら糸くずや布くず等を使用すれば、廃棄物を削減することができる。
さらに、上記袋２に充填される充填材３は、植繊機で破砕することによって、その形状を均一にすることができる。このように、充填材３の形状を均一にすると、袋２に充填したときに、上記充填材３がきれいに整列した状態になる。したがって、上記植繊機で破砕した自充填材３を袋２に充填すれば、建材１の形状を、デコボコすることなく均一的にすることができる。
【００４３】
そして、上記したような様々な種類の自然素材からなる充填材３は、それぞれを混合して袋２に充填するようにしてもよい。例えば、木からなる充填材と紙からなる充填材とを混合して袋２に充填してもよい。また、スライス片やチップ状など細かくした充填材と、ひねりを入れた紙などを束ねた充填材とを混合して袋２に充填してもよい。すなわち、自然素材からなる充填材であれば、何種類も混合して袋２に充填するようにしてもかまわない。
【００４４】
一方、上記第１、第２実施形態において、紙を使用した袋２も、植物繊維からなる紙であれば、どのような紙を使用してもかまわない。例えば、ダンボールやクラフト紙でもよく、用途や設置場所に応じて選択すればよい。また、セメントを入れるセメント袋を袋２に利用してもよい。このように、セメントの空き袋を袋２に再利用すれば、ゴミを削減することができ、コストの削減にもなる。
【００４５】
また、上記袋２は、紙に限らず、麻や綿などの植物繊維からなる布等を使用してもかまわない。
さらに、上記第１、第２実施形態では、袋２の両面を縫い合わせるために麻糸４を使用しているが、この縫い合わせるための糸は、植物繊維からなる自然素材であれば、その材質は限定しない。
【００４６】
また、上記建材１は、その袋２に自然素材からなる充填材３とともに、活性炭を充填するようにしてもよい。このように、袋２に活性炭を充填すれば、活性炭の持つ吸着能力を利用することができる。例えば、活性炭はホルムアルデヒド等の有害物質を吸着するので、シックハウス症候群の原因を除去することができる。また、湿気やほこりを吸着するので、建物等に使用すれば、健康的な住環境を実現することができる。特に、乳幼児が生活する住居に最適である。
【図面の簡単な説明】
【００４７】
【図１】第１実施形態における建材の縫い目列に対して垂直方向から見た状態を示す断面図である。
【図２】建材の斜視図である。
【図３】第２実施形態における建材の縫い目列に対して垂直方向から見た状態を示す断面図である。
【符号の説明】
【００４８】
１          建材
２          袋
２ａ        袋の基準辺
２ｂ        基準片に対向する端部である他辺
３          充填材
４          麻糸
５          針穴
６          縫い目列
７          微小な孔
Ｗ１        袋の基準辺およびこの基準片に対向する端部近傍の縫い目列の間隔
Ｗ２        袋の中央部における縫い目列の間隔
【図１】
2004239056.tif 000003
【図２】
2004239056.tif 000004
【図３】
2004239056.tif 000005